(57)【特許請求の範囲】
【請求項１】
施術者により洗髪を行うための洗髪台を有する洗髪器と、
該洗髪器に連結され、上記洗髪を受ける被施術者が座る洗髪椅子とを備え、
上記洗髪器は、上記洗髪台を上下に昇降する洗髪台昇降機構と、上記洗髪椅子の座を上下に昇降する洗髪椅子昇降機構とを備え、
上記洗髪台昇降機構は、ボール昇降シリンダの一端がフレームに取り付けられ、該ボール昇降シリンダの他端にボール可動ブラケットが連結され、該ボール可動ブラケットの上端に上記洗髪台を取り付けるボール取付部が取り付けられ、上記ボール昇降シリンダーの駆動により、上記洗髪台が昇降するものであり、
上記洗髪椅子昇降機構は、椅子昇降シリンダーの一端が床面上に配置される基台部に取り付けられ、該椅子昇降シリンダの他端に椅子可動ブラケットが連結され、該椅子可動ブラケットに、椅子支持杆を介して、上記基台部に平行な状態にて、椅子の脱着可能な椅子取付部が取り付けられ、上記椅子昇降シリンダーの駆動により、上記洗髪椅子が昇降するものであり、
上記基台部に立設された正面矩形，側面平行四辺形状の上記フレームの上方位置に上記洗髪台昇降機構が、該フレームの前面下方位置に上記洗髪椅子昇降機構が設けられており、
上記洗髪台昇降機構は、上記側面平行四辺形状のフレームの上辺に垂直下方に伸びる上下動ガイド杆が設けられ、上記フレームの上辺に平行に、上下移動可能に上記ボール取付部が設けられ、かつ該ボール取付部の底面に固定された、該底面から垂直下方に伸びる上記ボール可動ブラケットが上記上下動ガイド杆に沿って上下に移動するものであり、
上記洗髪椅子昇降機構は、上記椅子可動ブラケットが持つ摺動ローラーにより、上記側面平行四辺形状のフレームの傾斜面に沿って移動するものである、
ことを特徴とした洗髪装置。
【発明の詳細な説明】
【０００１】
【発明の属する技術分野】
本発明は、理美容院で洗髪施術を行う際に使用される、洗髪装置に関する。
【０００２】
【従来の技術】
従来、理美容院等において、施術者によって洗髪施術が行われる際、洗髪中の被施術者の負担を軽減するため、その施術者が座る洗髪椅子の座席部が昇降機構により昇降する洗髪椅子、または施術者によって洗髪が行われる洗髪器のボール部が昇降機能により昇降する洗髪器が用いられ、美容師により洗髪施術が行われている。
【０００３】
図８は、従来の洗髪装置で被施術者が洗髪施術を受けている図である。上記従来の洗髪装置は、被施術者が座る座席部の位置を上下に移動させる昇降機構８１を持つ洗髪椅子８０と、美容師によって洗髪施術が行われるボール部９０を備えた昇降機構を持たない洗髪器からなっている。このような洗髪装置において洗髪施術を行う場合、美容師は被施術者に上記洗髪椅子８０に座ってもらい、被施術者の頭部の高さがほぼボール部９０の位置にくるように、昇降機構８１を動作させるスイッチ等（図示せず）を押すなどして該昇降機構８１を上昇移動させた後、背もたれを倒して被施術者に仰向けに横たわってもらい、被施術者に頭部をボール部９０においてもらって、洗髪施術を開始するものである。
【０００４】
【発明の解決しようとする課題】
しかしながら、従来の洗髪装置においては、被施術者の背の高さを考慮するために、図８に示すような洗髪椅子８０の座席部に昇降機能８１を備えたものや、図示していないが洗髪器のボール部９０に昇降機能を備えているもの等はあっても、洗髪を行う施術者の背の高さを考慮したものはなく、昇降機構によって洗髪装置を被施術者の背の高さに合わせてしまうと、上記ボール部９０の位置が施術者の背の高さに合わなくなる場合が生じ、施術者の洗髪施術中の負担が大きくなるという問題があった。
【０００５】
本発明は、上記問題を鑑みてなされたものであり、施術者の背の高さ、及び被施術者の背の高さの両方に応じることのできる洗髪装置を提供することを目的とするものである。
【０００６】
【課題を解決する手段】
このような問題を解決するために、本発明の請求項１記載の洗髪装置は、施術者により洗髪を行うための洗髪台を有する洗髪器と、該洗髪器に連結され、上記洗髪を受ける被施術者が座る洗髪椅子とを備え、上記洗髪器は、上記洗髪台を上下に昇降する洗髪台昇降機構と、上記洗髪椅子の座を上下に昇降する洗髪椅子昇降機構とを備え、上記洗髪台昇降機構は、ボール昇降シリンダの一端がフレームに取り付けられ、該ボール昇降シリンダの他端にボール可動ブラケットが連結され、該ボール可動ブラケットの上端に上記洗髪台を取り付けるボール取付部が取り付けられ、上記ボール昇降シリンダーの駆動により、上記洗髪台が昇降するものであり、上記洗髪椅子昇降機構は、椅子昇降シリンダーの一端が床面上に配置される基台部に取り付けられ、該椅子昇降シリンダの他端に椅子可動ブラケットが連結され、該椅子可動ブラケットに、椅子支持杆を介して、上記基台部に平行な状態にて、椅子の脱着可能な椅子取付部が取り付けられ、上記椅子昇降シリンダーの駆動により、上記洗髪椅子が昇降するものであり、上記基台部に立設された正面矩形，側面平行四辺形状の上記フレームの上方位置に上記洗髪台昇降機構が、該フレームの前面下方位置に上記洗髪椅子昇降機構が設けられており、上記洗髪台昇降機構は、上記側面平行四辺形状のフレームの上辺に垂直下方に伸びる上下動ガイド杆が設けられ、上記フレームの上辺に平行に、上下移動可能に上記ボール取付部が設けられ、かつ該ボール取付部の底面に固定された、該底面から垂直下方に伸びる上記ボール可動ブラケットが上記上下動ガイド杆に沿って上下に移動するものであり、上記洗髪椅子昇降機構は、上記椅子可動ブラケットが持つ摺動ローラーにより、上記側面平行四辺形状のフレームの傾斜面に沿って移動するものとしたものである。
【０００９】
【発明の実施の形態】
（実施の形態１）
以下、図１から図３を用いて、本実施の形態１における、洗髪装置について説明する。
図１は、本実施の形態１における、洗髪装置の外観斜視図である。
図１において、本洗髪装置は、床面上に配置された基台部２に、斜め上方に延びる矩形枠形状のフレーム支柱構造部３０が設けられ、該フレーム支柱構造部３０の上面上に、該フレーム支柱構造部３０の上方位置に設けられたボール昇降機構１０を介して、上下動可能に洗髪を行うためのボール部１が設けられ、上記フレーム支柱構造部３０の前面下方位置に、椅子昇降機構２０及び椅子支持杆２１を介して、洗髪を受ける人が座る椅子４０が上下動可能に設けられてなるものである。
【００１０】
以下、図２及び図３を用いて、上記洗髪装置の各部について詳細に説明する。
図２は、ボール部１、洗髪椅子４０を最低位置に位置せしめた場合の、図３は、ボール部１、洗髪椅子４０を適当な位置まで上方に移動させた場合の、洗髪装置のフレーム支柱構造部３０の断面図である。
【００１１】
図２及び図３において、フレーム支柱構造部３０は、基台部２を底辺、フレーム３１ａ，３１ｂを両辺、ボール受け部３３ａを上辺とし、該ボール受け部３３ａから垂直下方に伸びる上下動ガイド杆３３ｂと、上記フレーム３１ａの略中央に位置するフレーム３２とを有する、側面が平行四辺形枠形状のフレームである。
【００１２】
上記フレーム支柱構造部３０の上方に位置するボール昇降機構１０は、その一端側をフレーム３１ａの略中央に位置するフレーム３２に軸１９で回動可能に連結され、他端側を軸１４でボール可動ブラケット１３に回動可能に連結されたボール昇降用シリンダー１５と、そのボール昇降用シリンダ１５の駆動により、上下動ガイド杆３３ｂに沿って上下に移動するボール可動ブラケット１３に固定された、ボール部１を取り付けるボール取付部１１とからなり、上記フレーム支柱構造部３０の下方前面に位置する椅子昇降機構２０は、その一端側を軸２７で基台部２に回動可能に連結され、他端側を軸２３で椅子可動ブラケット２２に回動可能に連結された椅子昇降用シリンダー２４と、その椅子昇降用シリンダ２４の駆動により、フレーム３１ａに沿って上方下方に移動する摺動ローラー２８を持つ椅子可動ブラケット２２に、椅子支持杆２１を介して固定された洗髪椅子４０の座席部４１を取り付ける椅子取付部２９とからなるものである。
【００１３】
また、ボール昇降用シリンダ１５、及び椅子昇降用シリンダ２４は、油圧シリンダーであって、それぞれシリンダチューブ１６，２５とピストンロッド１７，２６とからなり、この２つの油圧シリンダ１５，２４は、基台部２上に設置されている油圧ポンプ３と配管等によりつなげられているものである（図示せず）。
【００１４】
また、基台部２に設けられたボール昇降用フットスイッチ５の昇用，降用スイッチ５ａ，５ｂは、ボール部１を上昇，下降移動させる時に使用するスイッチであり、洗髪椅子４０の肘掛４２に設けられた椅子昇降用パネルスイッチ６の昇用，降用スイッチ６ａ，６ｂは、洗髪椅子４０を上昇，下降移動させる時に使用するスイッチである。この椅子昇降用パネルスイッチ６は、洗髪を受ける人が洗髪椅子４０の座席部４１に座った時にじゃまにならないように、肘掛４２の背もたれの近くに設けられている。
【００１５】
ここで、上記フレーム支柱構造部３０内に設けられたボール昇降機構１０、椅子昇降機構２０の昇降動作について説明する。
上記ボール昇降機構１０によりボール部１を昇降させ、その高さ位置を調整するには、まずボール昇用，降用スイッチ５ａ，５ｂを踏んで、該スイッチをＯＮすると、油圧ポンプ３が作動して、ボール昇降用シリンダ１５が加圧，減圧され、ピストンロッド１７が伸長，縮短される。このピストンロッド１７の伸長，縮短により、該ボール昇降用シリンダ１５に連結されているボール可動ブラケット１３が上下動ガイド杆３３ｂに沿って上下に移動し、これによりボール部１が上昇，下降移動する。このボール部１の上昇，下降移動は、ボール昇用，降用スイッチ５ａ，５ｂをはなすと停止するものであり、このボール昇用，降用スイッチ５ａ，５ｂを踏んでいる時間を調整することにより、ボール部１を所望の高さ位置に位置せしめることができる。
【００１６】
また、椅子昇降機構２０により洗髪椅子４０を昇降させ、その高さ位置を調整するには、上述したボール昇降機構１０の場合と同様、まず椅子昇用，降用スイッチ６ａ，６ｂを押して、該スイッチをＯＮすると、油圧ポンプ３が作動し、椅子昇降用シリンダ２４が加圧，減圧され、ピストンロッド２６が伸長，縮短される。このピストンロッド２６の伸長，縮短によって、該椅子昇降用シリンダ２４に連結されている椅子可動ブラケット２２が、摺動ローラー２８によりフレーム３１ａに沿って上方，下方に移動し、これにより洗髪椅子４０が上昇，下降移動する。この洗髪椅子４０の上昇，下降移動は、上述したボール昇降機構１０の場合と同様、椅子昇用，降用スイッチ６ａ，６ｂをはなすと停止するものであり、この椅子昇用，降用スイッチ６ａ，６ｂを押している時間を調整することにより、洗髪椅子４０を適当な高さ位置に位置せしめることができる。
【００１７】
次に、本実施の形態１における洗髪装置を使用して、洗髪施術を行う場合の動作について説明する。
まず、洗髪施術を行う美容師（図示せず）が、背の高さにあわせてボール部１を洗髪を行いやすい所望の位置に、例えば上昇させたいとすると、該美容師はボール昇用スイッチ５ａを踏み、ボール昇降機構１０の上述した上昇動作によって、該ボール部１を望む位置に上昇移動させる。次に美容師は、洗髪をうける被施術者（図示せず）に洗髪椅子４０に座ってもらい、頭部をボール部１においてもらうようにする。その際、まず美容師は被施術者の頭部の高さがほぼボール部１の位置にくるように、椅子昇用，降用スイッチ６ａ，６ｂを操作し、該洗髪椅子４０の高さ位置を調整する。この上記洗髪椅子４０の昇降操作は、被施術者が行ってもよく、その場合は、被施術者が設定した所望の洗髪椅子４０の高さ位置にあわせて、美容師がボール部１の高さ位置を調整する等して、被施術者の頭部の位置に該ボール部１がほぼくるようにする。
【００１８】
そして、上記のようにしてボール部１及び洗髪椅子４０の位置を設定した後、該洗髪椅子４０の背もたれを美容師がたおし、被施術者に仰向けに横たわって、頭部をボール部１においてもらう等してから、洗髪施術を開始するわけだが、被施術者がその横たわった時の身体の姿勢やボール部１に対する頭部の位置に不快感を感じた場合には、洗髪椅子４０の高さ位置を美容師が椅子昇用，降用スイッチ６ａ，６ｂを操作して微調整し、被施術者が洗髪椅子４０上で所望の姿勢且つ負担にならない頭部の位置を保った状態で洗髪が受けることができるようにする。
【００１９】
以上のような操作を行って、美容師の背の高さ及び被施術者の背の高さに応じて、ボール部１及び洗髪椅子４０それぞれの高さ位置を調整してその位置を設定した後、美容師は被施術者に対して洗髪施術を行う。
【００２０】
また、洗髪施術の一つに被施術者のうなじを洗う作業があるが、本実施の形態１の洗髪装置において上記作業を行う場合、美容師はボール降用スイッチ５ｂを踏み、ボール昇降機構１０の上述した下降動作によって該ボール部１を少し下降移動させて、被施術者の頭を持ち上げることなく、片手で支えるだけで楽に被施術者のうなじを洗ることが可能となり、その作業中の美容師の負担を軽減することができる。そして、その作業が終了すれば、今度はボール昇用スイッチ５ａを踏んで、ボール昇降機構１０の上述した上昇動作によってボール部１を元の位置までもどし、被施術者に頭部をおいてもらう。
【００２１】
以上のような美容師による洗髪施術が終了した後に、同じ美容師が続けて他の被施術者の洗髪を行う場合は、ボール部１の高さ位置は既に該美容師に合わせて調整されているので、主に洗髪椅子４０の高さ位置を、該洗髪椅子４０に座ってもらった上記他の被施術者の背の高さに合わせて調整する。
【００２２】
また、上記美容師ではなく、別の美容師が他の被施術者に対して洗髪を行うときには、その別の美容師が自分の背の高さ及び被施術者の背の高さ等に応じて、ボール部１，洗髪椅子４０のそれぞれの高さ位置を前回と同様に所望の位置に調整する。
【００２３】
さらに、本実施の形態１における洗髪装置は、図４に示すように洗髪器から洗髪椅子４０が容易に取り外しせるようになっている。図４は、本実施の形態１における、洗髪器から洗髪椅子４０を取り外した時の洗髪装置の外観斜視図である。
【００２４】
図４において、洗髪器の椅子取付部２９には洗髪椅子４０を取り付ける椅子取付ボス３４が備わっており、また洗髪椅子４０のほうには、座席部４１の底に上記椅子取付ボス３４を嵌めこむ椅子取付ブラケット４４を備えた座鉄板４３が備わっている。そして、上記洗髪器に洗髪椅子４０を取りつける場合には、上記椅子取付ブラケット４４につけられた椅子固定溝４５と、上記椅子取付ボス３４の椅子固定位置決めピン３５とを合わせるようにして、上記椅子取付ブラケット４４に上記椅子取付ボス３４を嵌めこみ、上記洗髪器の椅子取付部２９に対して洗髪椅子４０を固定する。
【００２５】
上述したように、洗髪椅子４０が洗髪器に対して容易に取り付け、取り外し可能になっている本実施の形態１の洗髪装置においては、例えば、被施術者が車椅子に乗った身障者の場合であっても、図４を用いて説明したようにして洗髪椅子４０を洗髪装置から取り外し、図５に示すようにして車椅子５０に乗ったまま洗髪施術をうけることができる。
【００２６】
図５は、本実施の形態１における、身障者が車椅子で洗髪施術を受けている図である。
車椅子５０に乗った身障者に洗髪施術を行う場合、まず美容師は、洗髪椅子４０を取り外す前に、洗髪椅子４０、すなわち椅子椅子支持杆２１が最低位置にあるか確認する。最低位置にない場合には、椅子降用スイッチ６ｂを押して上記椅子昇降機構２０の上述した下降動作により最低位置に位置せしめる。そして、上述したようにして洗髪器から洗髪椅子４０をとりはずし、車椅子５０を背もたれ方から移動させて本洗髪装置に近傍させ、車椅子５０にすわっている被施術者が頭部をボール部１にのせることができる位置で動かないように該車椅子５０を固定してもらう。さらに、その車椅子５０に座っている被施術者の頭部に対してボール部１の位置が低い場合にはボール昇用スイッチ５ａを踏み、またボール部１の位置が高い場合にはボール降用スイッチ５ｂを踏み、ボール昇降機構１０の上述した上昇，下降動作によって該ボール部１の位置を被施術者の頭部の位置とほぼ同じ高さ位置にくるように調整した後、洗髪施術を開始する。これにより、車椅子５０に乗った身障者が洗髪施術を受ける際、車椅子５０から洗髪椅子４０に乗りかえしなくてもよくなり、それによる被施術者の負担を大きく軽減することができる。
【００２７】
また、本洗髪装置において、洗髪器から洗髪椅子４０を取り外して使用する別の例として、被施術者が臨月に近い妊婦の場合について説明する。図６は、臨月に近い妊婦が妊婦用の洗髪椅子で洗髪施術を受けている図であり、図７は、臨月に近い妊婦が通常の洗髪椅子で洗髪施術を受けている図である。
【００２８】
通常の洗髪椅子４０は、図７に示すようにその背もたれが略寝た状態になるまで倒れてしまう。しかし、その略寝た状態は、臨月に近い妊婦にとって腹部に大きな負担がかかる姿勢となる。よって、洗髪器より椅子が容易に取り外せる本洗髪装置において、臨月に近い妊婦に洗髪施術を行う際には、美容師は、図７に示すような従来の背もたれが略寝た状態になるまで倒れる洗髪椅子４０を洗髪器から取り外し、図６に示すような一般事務椅子の角度より若干倒れた状態までしか倒れない妊婦用の洗髪椅子６０に付け替え、該洗髪椅子６０を使用して臨月に近い妊婦の洗髪施術を行うものである。これにより、洗髪施術中の臨月に近い妊婦の腹部にかかる負担を軽減することができる。
【００２９】
以上のように、本実施の形態１における洗髪装置を使用する際においては、洗髪を行う美容師の背の高さ及び洗髪を受ける被施術者の背の高さが高くても低くても、その全ての組み合わせに応じてボール部１及び洗髪椅子４０をそれぞれ調整でき、美容師及び洗髪を受ける被施術者両者の所望の位置に設定することができる。これにより、美容師は所望の高さで洗髪施術を行えるため、洗髪作業中の腰の負担を軽減することができ、また被施術者の洗髪中の頭部の位置や身体の姿勢を望ましい状態にできるため、美容師，被施術者両者の負担を軽減することができる。
【００３０】
さらに、本実施の形態１における洗髪装置は、洗髪器が洗髪椅子４０を備えているので、理美容院に本洗髪装置を取りつける際の設置が簡単にでき、移動も容易に行うことができる。また、上記洗髪器に備わっている洗髪椅子４０は該洗髪器から容易に取りはずし可能なようになっているので、例えば、被施術者が車椅子に乗っている身障者であったり、臨月に近い妊婦であった場合等、その被施術者の状況にあわせて洗髪椅子４０を取り外したり、付け替えたりして、被施術者の洗髪施術中の負担を低減することができる。
【００３１】
また本洗髪装置は、フレーム支柱構造部３０内にボール昇降機構１０及び椅子昇降機構２０を備えているので、本洗髪装置を設置した時の取り付け面積を小さくできる、という効果もある。
【００３２】
【発明の効果】
本発明に係る洗髪装置によれば、施術者により洗髪を行うための洗髪台を有する洗髪器と、該洗髪器に連結され、上記洗髪を受ける被施術者が座る洗髪椅子とを備え、上記洗髪器は、上記洗髪台を上下に昇降する洗髪台昇降機構と、上記洗髪椅子の座を上下に昇降する洗髪椅子昇降機構とを備えるようにしたので、洗髪施術を受ける被施術者の背の高さ、及び洗髪を行う施術者の背の高さの組み合わせに応じて、ボール部及び洗髪椅子の高さ位置を調整でき、洗髪施術中の施術者及び被施術者おのおのの負担を軽減することができる。
【００３３】
また、本発明に係る洗髪装置によれば、上記洗髪装置において、上記洗髪台昇降機構は、ボール昇降シリンダの一端がフレームに取り付けられ、該ボール昇降シリンダの他端にボール可動ブラケットが連結され、該ボール可動ブラケットの上端に上記洗髪台を取り付けるボール取付部が取り付けられ、上記ボール昇降シリンダーの駆動により、上記洗髪台が昇降するものであり、上記洗髪椅子昇降機構は、椅子昇降シリンダーの一端が床面上に配置される基台部に取り付けられ、該椅子昇降シリンダの他端に椅子可動ブラケットが連結され、該椅子可動ブラケットに、椅子支持杆を介して、上記基台部に平行な状態にて、椅子の脱着可能な椅子取付部が取り付けられ、上記椅子昇降シリンダーの駆動により、上記洗髪椅子が昇降するものであるようにしたので、洗髪施術を受ける被施術者の背の高さ、及び洗髪を行う施術者の背の高さの組み合わせに応じて、洗髪を行うボール部及び洗髪椅子の高さを調整でき、洗髪施術中の施術者及び被施術者おのおのの負担を軽減することができる。
【００３４】
さらに本洗髪装置は、洗髪器にいす支持杆を介して洗髪椅子を備えた構成を持つので、本洗髪装置を理美容院に設置する際にその取り付けが簡単にできる。
さらに本洗髪装置の洗髪椅子は容易に取り外しが可能になっているので、被施術者の状況に合わせて、上記洗髪椅子を取り外したり取り替えて、該被施術者の洗髪施術を受ける間の負担を軽減することができる。
【００３５】
また、本発明に係る洗髪装置によれば、上記洗髪装置において、上記基台部に立設された正面矩形，側面平行四辺形状のフレームの上方位置に上記洗髪台昇降機構が、該フレームの前面下方位置に上記洗髪椅子昇降機構が設けられており、上記洗髪台昇降機構は、上記側面平行四辺形状のフレームの上辺に垂直下方に伸びる上下動ガイド杆が設けられ、上記フレームの上辺に平行に、上下移動可能に上記ボール取付部が設けられ、かつ該ボール取付部の底面に固定された、該底面から垂直下方に伸びる上記ボール可動ブラケットが上記上下動ガイド杆に沿って上下に移動するものであり、上記洗髪椅子昇降機構は、上記椅子可動ブラケットが持つ摺動ローラーにより、上記側面平行四辺形状のフレームの傾斜面に沿って移動するものであるようにしたので、洗髪施術を受ける被施術者の背の高さ、及び洗髪を行う施術者の背の高さの組み合わせ応じて、ボール部及び洗髪椅子の高さ位置を調整でき、洗髪施術中の施術者及び被施術者おのおのの負担を軽減することができる。
【００３６】
また、本洗髪装置は、洗髪器に洗髪椅子を備えているので、設置する際にその取り付けが簡単にできる。
さらに本洗髪装置は、同じフレームにボール部を昇降させる昇降機構と洗髪椅子を昇降させる昇降機構を設けたので、設置したときの取り付け面積を小さくすることができる。
【図面の簡単な説明】
【図１】本発明の実施の形態１における、洗髪装置の外観斜視図である。
【図２】本発明の実施の形態１における、洗髪装置のフレーム支柱構造部の断面を示す図である。
【図３】本発明の実施の形態１における、洗髪装置のフレーム支柱構造部の断面を示す図である。
【図４】本発明の実施の形態１における、洗髪装置か洗髪椅子を取り外したときの外観斜視図である。
【図５】本発明の実施の形態１の洗髪装置において、車椅子にのった身障者が洗髪施術を受けている状態を示す図である。
【図６】本発明の実施の形態１の洗髪装置において、妊婦用の洗髪椅子で臨月に近い妊婦が洗髪施術を受けている状態を示す図である。
【図７】本発明の実施の形態１の洗髪装置において、通常の椅子で臨月に近い妊婦が洗髪施術を受けている状態を示す図である。
【図８】従来の洗髪装置において、被施術者が洗髪施術を受けている図である。
【符号の説明】
１、９０  ボール部
２  基台部
３  油圧ポンプ
５  ボール昇降用フットスイッチ
５ａ  ボール昇用スイッチ
５ｂ  ボール降用スイッチ
６  椅子昇降用パネルスイッチ
６ａ  椅子昇用スイッチ
６ｂ  椅子降用スイッチ
１０  ボール昇降機構
１１  ボール取付部
１３  ボール可動ブラケット
１４、１９、２３、２７  軸
１５  ボール昇降用シリンダ
１６、２５  シリンダチューブ
１７、２６  ピストンロッド
２０  椅子昇降機構
２１  椅子支持杆
２２  椅子可動ブラケット
２４  椅子昇降用シリンダ
２８  摺動ローラー
２９  椅子取付部
３０  フレーム支柱構造部
３１ａ、３１ｂ、３２  フレーム
３３ａ  ボール受け部
３３ｂ  上下動ガイド杆
３４  椅子取付ボス
３５  椅子固定位置決めピン
４０、８０  洗髪椅子
４１  座席部
４２  肘掛
４３  座鉄板
４４  椅子取付ブラケット
４５  椅子固定溝
５０  車椅子
６０  妊婦用の洗髪椅子
８１  昇降機構
【図１】
0004798859.tif 000002
【図２】
0004798859.tif 000003
【図３】
0004798859.tif 000004
【図４】
0004798859.tif 000005
【図５】
0004798859.tif 000006
【図６】
0004798859.tif 000007
【図７】
0004798859.tif 000008
【図８】
0004798859.tif 000009